(57)【要約】【課題】既存のARSシステムで投票券を購入する場合より、購入所要時間を顕著に減らせ、また移動通信網を用いた発券サービスを同時に行う場合にトラフィックを分散させて既存のARSシステムの負荷を抑制できるようにする。【解決手段】本発明に係る無線移動通信網を用いた投票券購入システムは、既存のARS方式に移動通信網の技術を結合して、簡単なワンクリックサービスで投票券購入を行えるようにする。無線端末機から私設／公衆無線網に接続して口座による投票券購入を実施する応用プログラムを実行して投票券購入条件を一画面を通じてすべて指定した後、無線網を介して伝送すれば、ARSサーバにデータが伝送されて、これによって投票券が発券され得るようにする。【選択図】  図３
2004318868.tif 000002
【特許請求の範囲】
【請求項１】
無線移動端末機から無線ネットワークを介してレースの投票券購入のための使用者認証情報が受信されると、該受信された使用者認証情報を用いて使用者認証を行った後、その認証結果情報を無線ネットワークを介して前記無線移動端末機に伝送するステップと、
使用者認証が完了した後、前記無線移動端末機から多数の投票券購入情報が一時に受信された場合、該受信された多数の投票券購入情報により該当レースの管理システムと通信して該当する投票券を発券するステップと、
該当投票券を発券すると、その発券内訳情報を保存した後、当該発券内訳情報に対するSMSメッセージを生成するステップと、
該生成した発券内訳情報に対するSMSメッセージを無線ネットワークを介して前記無線移動端末機に伝送するステップと、を含むことを特徴とする無線ネットワークを用いた口座による投票券購入方法。
【請求項２】
無線ネットワークは、私設無線ネットワークまたは公衆移動無線ネットワークである請求項１記載の投票券購入方法。
【請求項３】
無線移動端末機は、PDAフォン、PCS、DCS、スマートフォン、IMT-2000のうち、少なくとも一つの端末機を含む請求項１記載の投票券購入方法。
【請求項４】
発券内訳情報に対するSMSメッセージを生成するステップで、当該SMSメッセージ生成は、私設または公衆無線交換機を介して行われる請求項１記載の投票券購入方法。
【請求項５】
使用者認証情報は、口座投票券購入の加入者登録時に割り当てられた使用者ID、パスワード、口座投票券購入の加入通帳口座番号情報のうち、少なくとも一つの情報を含む請求項１記載の投票券購入方法。
【請求項６】
多数の投票券購入情報は、レース地域情報、レース番号情報、勝式情報、出走者情報、ベット金額情報のうち、少なくとも一つの情報を含む請求項１記載の投票券購入方法。
【請求項７】
無線移動端末機から私設無線網を介してレースの投票券購入のための使用者認証情報が受信されると、該受信された使用者認証情報を用いて使用者認証を行った後、認証結果情報を私設無線網を介して前記無線移動端末機に伝送するステップと、
使用者認証が完了した後、前記無線移動端末機から私設無線網を介して多数の投票券購入情報が一時に受信された場合、該受信された多数の投票券購入情報により該当レースの管理システムと通信して該当する投票券を発券するステップと、
該当投票券を発券すると、その発券内訳情報を保存した後、当該発券内訳情報に対するSMSメッセージ生成要求データを私設無線交換機に伝送するステップと、
該発券内訳情報に対するSMSメッセージ生成要求データに従い前記私設無線交換機で前記発券内訳情報に対するSMSメッセージを生成して私設無線網を介し前記無線移動端末機に伝送するステップと、を含むことを特徴とする私設無線網を用いた口座による投票券購入方法。
【請求項８】
無線移動端末機から公衆無線網を介してレースの投票券購入のための使用者認証情報が受信されると、該受信された使用者認証情報を用いて使用者認証を行った後、認証結果情報を公衆無線網を介して前記無線移動端末機に伝送するステップと、
使用者認証が完了した後、前記無線移動端末機から公衆無線網を介して多数の投票券購入情報が一時に受信された場合、該受信された多数の投票券購入情報により該当レースの管理システムと通信して該当する投票券を発券するステップと、
該当投票券を発券すると、その発券内訳情報を保存した後、当該発券内訳情報に対するSMSメッセージ生成要求データを公衆無線交換機に伝送するステップと、
該発券内訳情報に対するSMSメッセージ生成要求データに従い前記公衆無線交換機で前記発券内訳情報に対するSMSメッセージを生成して公衆無線網を介し前記無線移動端末機に伝送するステップと、を含むことを特徴とする公衆無線網を用いた口座による投票券購入方法。
【請求項９】
投票券購入プログラムの実行に従い、レースの投票券購入のための使用者認証情報入力画面をディスプレイするステップと、
前記ディスプレイされた認証情報入力画面により使用者から認証情報が入力されると、該入力された認証情報を無線移動通信システムを介して投票券の発券システムに伝送するステップと、
該発券システムから使用者認証結果を受信し、認証に成功した場合、一画面を通じて投票券購入のための選択フィールド情報をディスプレイするステップと、
前記ディスプレイされた選択フィールド情報により所望の情報がいずれも選択された後、該選択に係る投票券購入情報を前記無線移動通信システムを介して前記発券システムに伝送するステップと、
使用者が選択した前記投票券購入情報に従い前記発券システムから発券された口座による投票券の発券結果に対するSMSメッセージ、およびレース終了後の結果内訳情報に対するSMSメッセージを前記無線移動通信システムを介して受信すると、これら発券結果のSMSメッセージおよび結果内訳情報のSMSメッセージを順次にディスプレイするステップと、を含むことを特徴とする無線移動通信端末機を用いた投票券購入データ伝送方法。
【請求項１０】
口座投票処理システム、ARS発売サーバーおよび無線網システムと連動する無線移動端末機を用いたレースの口座による投票券購入方法において、
前記無線移動端末機にインストールされた投票券購入応用プログラムを立ち上げて前記無線網システムを介し投票券購入のための使用者認証情報を前記ARS発売サーバーに伝送するステップと、
該使用者認証情報が受信されると前記ARS発売サーバーは、該受信された使用者認証情報を用いて使用者認証を行った後、その認証結果情報を前記無線網システムを介して前記無線移動端末機に伝送するステップと、
この使用者認証が完了すると前記無線移動端末機は、一画面を通じて投票券購入のための選択フィールド情報をディスプレイし、該ディスプレイされた選択フィールド情報により所望の情報がいずれも選択された後、該選択に係る投票券購入情報を前記無線網システムを介して前記ARS発売サーバーから前記口座投票処理システムに伝送するステップと、
該ステップにより前記無線移動端末機から多数の投票券購入情報が受信された場合、前記口座投票処理システムは、該受信された多数の投票券購入情報に従い該当する投票券を発券した後、その発券内訳情報を前記ARS発売サーバーに伝送するステップと、
前記発券内訳情報が受信されると前記ARS発売サーバーは、当該発券内訳情報を保存した後、該発券内訳情報に対するSMSメッセージ生成要求データを前記無線網システムに伝送するステップと、
該発券内訳情報に対するSMSメッセージ生成要求データにより前記無線網システムで前記発券内訳情報に対するSMSメッセージを生成して前記無線移動端末機に伝送するステップと、を含むことを特徴とする投票券購入方法。
【請求項１１】
口座によるレース投票券の発券システムと連動する無線ネットワークを用いた投票券購入システムにおいて、
無線移動端末機を介して多数の投票券購入情報が一時に受信された場合、該投票券購入情報による投票券購入のための要求信号を前記発券システムに伝送し、該要求信号に応じ前記発券システムから発券内訳情報が受信されると、該発券内訳情報に対するSMSメッセージ生成要求信号を出力する投票券発券手段と、
前記無線移動端末機から前記無線ネットワークを介して伝送される多数の前記投票券購入情報を前記投票券発券手段に提供し、前記投票券発券手段から出力される前記発券内訳情報に対するSMSメッセージ生成要求信号に従いSMSメッセージを生成した後、該生成されたSMSメッセージを前記無線ネットワークを介して前記無線移動端末機に伝送する無線データ通信手段と、を備えることを特徴とする投票券購入システム。
【請求項１２】
無線ネットワークが私設無線ネットワークまたは公衆無線ネットワークである請求項１１記載の投票券購入システム。
【請求項１３】
無線データ通信手段は、SMSメッセージ生成部を含む私設無線交換システムまたは公衆無線交換システムである請求項１１記載の投票券購入システム。
【請求項１４】
投票券発券手段は、
無線データ通信手段と連動して送受信されるデータフォーマットを変換する無線網連動APIと、
投票券購入のための使用者の認証を行う認証部と、
投票券購入情報および発券システムから伝送される発券内訳情報を保存する保存部と、を有する 請求項１１記載の投票券購入システム。
【請求項１５】
口座によるレースの投票券購入のためのARS発売サーバーを含むARSシステム及び該ARSシステムを介して投票券を発券する口座投票処理システムと連動する無線ネットワークを用いた投票券購入システムにおいて、
前記ARSシステムのARS発売サーバー内に位置し、無線移動端末機を介して多数の投票券購入データが一時に受信される場合、該投票券購入データを前記ARS発売サーバーに合うフォーマットに変換した後、変換したARSフォーマットによる投票券購入要求信号を前記口座投票処理システムに伝送し、該要求信号に応じ前記口座投票処理システムから発券内訳情報が受信されると、該発券内訳情報に相応するSMSメッセージ生成要求信号を出力する無線網連動API装置と、
前記無線移動端末機から前記無線ネットワークを介して伝送される多数の投票券購入情報を前記無線網連動API装置に提供し、前記無線網連動API装置から出力される前記発券内訳情報に対するSMSメッセージ生成要求信号に従いSMSメッセージを生成した後、該生成した発券内訳情報に対するSMSメッセージを前記無線ネットワークを介して前記無線移動端末機に伝送する無線データ通信手段と、を備えることを特徴とする投票券購入システム。
【請求項１６】
ARS発売サーバーは、
投票券購入のための使用者の認証を行う認証部と、
投票券購入情報および口座投票処理システムから伝送される発券内訳情報を保存する保存部と、を有する請求項１５記載の投票券購入システム。
【請求項１７】
無線移動通信網を用いた口座によるレースの投票券購入のための移動通信端末機において、
投票券購入プログラムが実行されると、投票券購入のための使用者認証情報入力画面をディスプレイし、認証が完了すれば、一画面を通じて投票券購入のための投票券購入選択画面をディスプレイして該ディスプレイした投票券購入選択画面により所望の情報をいずれも選択できるようにする投票券購入応用プログラムモジュールと、
使用者から入力された前記認証情報及び投票券購入情報を前記無線移動通信網を介して口座による投票券の発券システムに伝送し、該発券システムから前記無線移動通信網を介して発券内訳情報に対するSMSメッセージおよびレース終了後の結果内訳情報に対するSMSメッセージを受信する無線データ送受信モジュールと、を備えることを特徴とする移動通信端末機。
【請求項１８】
投票券購入応用プログラムモジュールによりディスプレイされる投票券購入選択画面は、レース地域選択フィールド、レース番号選択フィールド、勝式選択フィールド、出走者選択フィールド、ベット金額選択フィールドのうち、少なくとも一つのフィールドを含む請求項１７記載の移動通信端末機。
【請求項１９】
投票券購入応用プログラムモジュールによりディスプレイされた投票券購入選択画面を通じてすべての情報が選択された後、投票券の追加購入を可能にする追加ベッティングキーと、
該追加ベッティングキーが選択されて追加の投票券購入情報が選択されるときに、その前に選択された投票券購入情報を臨時保存するデータ臨時保存部と、を有する請求項１８記載の移動通信端末機。
【発明の詳細な説明】
【技術分野】
【０００１】
本発明は、無線移動通信網を用いた投票券購入システムおよびその方法に関し、特に無線移動通信網とARSシステムを用いて、競馬／競輪／オードレース／競艇に対するレース結果の口座投票および競馬／競輪／オートレース／競艇情報を提供できるようにした無線移動通信網を用いる投票券購入システムおよびその方法に関する。
【背景技術】
【０００２】
一般に、競馬、競輪、競艇などのようなレース競技は、一定数以上の馬、自転車、またはボートなどの競走を通じて勝負を競う競技に、観客が投資金額をベッティング(betting)して楽しむ一種の成人レジャースポーツである。
【０００３】
このような競馬、競輪、競艇などのようなレース競技は、時間的、空間的制約を持っているために、すべての人が参加するのは容易ではない。例えば、韓国釜山に居住する人が競馬に参加しようとする場合、週末にレースが行われる場所(韓国果川など)に直接行くか、そうでなければ身近の場外発券所に直接行かなければならないなど、競馬／競輪／競艇の投票券（馬券、舟券、車券）を購入するには多くの不便が存在する。すなわち、競馬、競輪、競艇競技場(以下では競馬の馬券を例にして説明する)へ行った使用者が、自分のベット(bet)しようとする馬券と金額をはじめとするベッティング内訳をコンピュータ用水性サインペンを用いて、競馬場に置かれた馬券購入カードに直接記入した後、窓口を通じて馬券を購入するのである。しかし、このような方法は、使用者が直接競馬場を訪問しなければならず、馬券を購入するために時間がかかる問題点があった。
【０００４】
したがって、このような問題点を解決するために、従来においては、あらかじめ使用者が馬事会（競馬会）などに自身の入出金口座と人的事項を登録し、馬券購買用口座を作った後、競技場内に置かれた口座振替えの投票券購入機を使用したり、電話を通じたARS(Automatic Response Service)システムを用いて、馬券を購入する方法が提示されている。このような口座投票方式は、馬事会などのような所であらかじめ契約を結んだ加入者が競馬、競輪、競艇場を直接訪問することなく職場などから電話でレース結果の投票を実行し、その投票券購入代金および還付金、払い戻し金などは加入者口座で入出金される方法を意味する。
【０００５】
以下、従来技術に係るARSシステムを用いた投票券購入システムおよびその方法について、説明する。
【０００６】
図１は、従来技術に係るARSシステムを用いた投票券購入システムに対するネットワーク構成を示す図面であって、この投票券購入システムは、ARS中継装置(31)およびARS発売サーバー(32)からなるARSシステム(30)、インターフェース装置(41)と主電算機(42)からなる口座投票処理システム(40)を含むことができる。ここで、ARSシステム(30)は、PSTN(Public Switched Telephone Network)網とPLMN(Public Land Mobile Network)網(20)とを介して有無線／移動端末機(10)と連結できる。すなわち、有無線端末機は、PSTN網を介してARSシステム(30)と接続し、移動端末機は、PLMN網を介してARSシステム(30)に接続できるのである。
【０００７】
ARSシステム(30)のARS中継装置(31)は、PSTN／PLMN(20)を介して有無線／移動端末機(10)からレースの口座投票方式による発券のための呼信号が受信される場合、呼信号により投票券購入のための音声メッセージを有無線／移動端末機(10)にPSTN／PLMN(20)を介して伝送する。そして、使用者端末機、すなわち、有無線／移動端末機(10)から伝送されるレース選択や勝馬予想選択等のダイヤルボタンのDTMFトーン信号をデジタル信号に変換してARS発売サーバー(32)に伝送する。
【０００８】
ARSシステム(30)のARS発売サーバー(32)は、ARS中継装置(31)から伝送されたデータを保存し、該データをTCP／IPフォーマットにデータ変換した後、変換されたTCP／IPデータを口座投票処理システム(40)のインターフェース装置(41)を介して主電算機(42)に伝送する。
【０００９】
口座投票処理システム(40)のインターフェース装置(41)は、主電算機(42)とARS発売サーバー(32)との間のデータインターフェースの役割を行い、主電算機(42)は、インターフェース装置(41)を介して受信される投票券購入データを用いて、口座投票受付処理を行った後、口座投票受付が完了すれば、発券内訳情報をインターフェース装置(41)を介してARS発売サーバー(32)に提供する。
【００１０】
これに従って、ARS発売サーバー(32)は、主電算機(42)から伝送される発券内訳情報を内部データベースに保存した後、ARS中継装置(31)に内訳情報を伝送する。すると、ARS中継装置(31)は、発券内訳情報を音声データに変換してPSTN／PLMN(20)を介し使用者端末機(10)に提供するようになる。
【００１１】
このように構成された投票券購入システムを用いての投票券購入方法について、添付の図２を参照して、段階的に説明する。図２は、従来技術に係るARSシステムを用いた投票券購入方法に対する処理の流れを示す図面である。
【００１２】
まず、使用者端末機、すなわち、有無線／移動端末機(10)から投票券購入のための呼信号が発生すれば、発生した呼はPSTN／PLMN(20)を介してARSシステム(30)のARS中継装置(31)に伝送される(S101、S102)。
【００１３】
ARS中継装置(31)は、有無線／移動端末機(10)から伝送される呼信号に応じ、口座投票のための音声メッセージ(案内コメント)をPSTN／PLMN(20)を介して使用者端末機(10)に伝送する。したがって、使用者は、ARS中継装置(31)から伝送される音声コメントに従い、投票券購入に必要な事項を使用者端末機(10)のダイヤルボタンを用いて選択するようになる。このように選択された各項目に対するDTMF信号は、PSTN／PLMN(20)を介してARS中継装置(31)に伝送される(S103)。
【００１４】
ARS中継装置(31)は、PSTN／PLMN(20)を介して使用者端末機(10)から伝送される投票券購入のための各種選択項目に対するDTMF信号を分析し、分析結果に対する投票券購入情報をARS発売サーバー(32)に提供する(S104)。
【００１５】
ARS発売サーバー(32)は、ARS中継装置(31)から提供された投票券購入情報を口座投票処理システム(40)のインターフェース装置(41)に伝送する(S105)。
【００１６】
インターフェース装置(41)は、ARSシステム(30)から提供された投票券購入情報をTCP／IPフォーマットに変換した後、変換された投票券購入情報に対するTCP／IPデータを主電算機(42)に伝送する(S106)。
【００１７】
これにしたがって、主電算機(42)は、インターフェース装置(41)から提供された投票券購入情報に対するTCP／IPデータに応じ、口座投票の発券処理を行った後、その発券内訳情報をインターフェース装置(41)を介してARS発売サーバー(32)に伝送するようになる (S107)。ここで、主電算機(42)は、使用者の投票券購入情報に含まれたベット金額とあらかじめ登録されれている使用者の通帳口座の残高とを比較し、残高がベット金額以上の場合にのみ発券処理を行う。このような口座投票処理システム(40)は、競馬の場合には馬事会で、競輪の場合には競輪協会で直接運営するシステムである。
【００１８】
ARS発売サーバー(32)は、口座投票処理システム(40)の主電算機(42)から伝送される発券内訳情報を内部データベース(不図示)に保存した後、その発券内訳情報を音声でPSTN／PLMN(20)を介して使用者端末機(10)に伝送するようになる。
【００１９】
結局、ARSシステムを介して口座による投票券購入を行う場合、購入に係る各段階別の選択事項が多く、購入終了までに要する時間が長いという問題点がある。また、一般有線電話利用時は指定された場所でのみ可能なために、使用者としては利用するのに非常に不便であるし、ARSで口座による投票券購入を行う前に口座残高を確認しておかない限り、正しく発券されるかどうか使用者が確認する方法がないために、実際、使用者が投票券購入に係る詳しい発券内訳を確認する時には、ARSシステムをさらに用いなければならないというわずらわしい問題点も提起されている。
【発明の開示】
【発明が解決しようとする課題】
【００２０】
したがって、本発明は、上述のような従来技術に係る各種問題点を解決するために案出されたもので、本発明の目的は、既存のARS方式に移動通信網の技術を結合して、使用者の手間を省いたワンクリックサービスで投票券購入を行うことができるようにする無線移動通信網を用いた投票券購入システムおよびその方法を提供することにある。
【００２１】
また、本発明の他の目的は、構内／公衆無線網で無線端末機を用いて構内／公衆無線網に接続し、投票券購入を実行できる応用プログラムを立ち上げて、投票券の購入条件を一画面を通じてすべて指定した後、無線網を介して伝送すれば、ARSサーバーにデータが伝送され、これに伴い口座投票受付が行われるようにすることによって、使用者に迅速且つ便利なサービスを提供できる無線移動通信網を用いた投票券購入システムおよびその方法を提供することにある。
【課題を解決するための手段】
【００２２】
このような目的を達成するため、本発明によれば、無線移動端末機から無線ネットワークを介してレースの投票券購入のための使用者認証情報が受信されると、該受信された使用者認証情報を用いて使用者認証を行った後、その認証結果情報を無線ネットワークを介して無線移動端末機に伝送するステップと、この使用者認証が完了した後、無線移動端末機から多数の投票券購入情報が一度に受信された場合、該受信された多数の投票券購入情報により該当レースの管理システムと通信して該当する投票券を発券するステップと、該当投票券を発券すると、その発券内訳情報を保存した後、当該発券内訳情報に対するSMSメッセージを生成するステップと、該生成した発券内訳情報に対するSMSメッセージを無線ネットワークを介して無線移動端末機に伝送するステップと、を含むことを特徴とする無線ネットワークを用いた口座による投票券購入方法が提案される。
【００２３】
この場合の無線ネットワークは、私設無線ネットワークまたは公衆移動無線ネットワークとすることができる。また、無線移動端末機は、PDAフォン、PCS、DCS、スマートフォン、IMT-2000のうち、少なくとも一つの端末機とすることができる。このような場合、発券内訳情報に対するSMSメッセージを生成するステップで、当該SMSメッセージ生成は、私設または公衆無線交換機を介して行われるものとすることができる。
【００２４】
使用者認証情報は、口座投票券購入の加入者登録時に割り当てられた使用者ID、パスワード、口座投票券購入の加入通帳口座番号情報のうち、少なくとも一つの情報を含むものとし、多数の投票券購入情報は、レース地域情報、レース番号情報、勝式情報、出走者（馬番、艇番、車番）情報、ベット金額情報のうち、少なくとも一つの情報を含むものとする。
【００２５】
また、本発明によれば、無線移動端末機から私設無線網を介してレースの投票券購入のための使用者認証情報が受信されると、該受信された使用者認証情報を用いて使用者認証を行った後、認証結果情報を私設無線網を介して無線移動端末機に伝送するステップと、この使用者認証が完了した後、無線移動端末機から私設無線網を介して多数の投票券購入情報が一時に受信された場合、該受信された多数の投票券購入情報により該当レースの管理システムと通信して該当する投票券を発券するステップと、該当投票券を発券すると、その発券内訳情報を保存した後、当該発券内訳情報に対するSMSメッセージ生成要求データを私設無線交換機に伝送するステップと、該発券内訳情報に対するSMSメッセージ生成要求データに従い私設無線交換機で発券内訳情報に対するSMSメッセージを生成して私設無線網を介し無線移動端末機に伝送するステップと、を含むことを特徴とする私設無線網を用いた口座による投票券購入方法が提案される。
【００２６】
あるいは、本発明によれば、無線移動端末機から公衆無線網を介してレースの投票券購入のための使用者認証情報が受信されると、該受信された使用者認証情報を用いて使用者認証を行った後、認証結果情報を公衆無線網を介して無線移動端末機に伝送するステップと、この使用者認証が完了した後、無線移動端末機から公衆無線網を介して多数の投票券購入情報が一時に受信された場合、該受信された多数の投票券購入情報により該当レースの管理システムと通信して該当する投票券を発券するステップと、該当投票券を発券すると、その発券内訳情報を保存した後、当該発券内訳情報に対するSMSメッセージ生成要求データを公衆無線交換機に伝送するステップと、該発券内訳情報に対するSMSメッセージ生成要求データに従い公衆無線交換機で発券内訳情報に対するSMSメッセージを生成して公衆無線網を介し無線移動端末機に伝送するステップと、を含むことを特徴とする公衆無線網を用いた口座による投票券購入方法が提案される。
【００２７】
あるいはまた、本発明によれば、投票券購入プログラムの実行に従い、レースの投票券購入のための使用者認証情報入力画面をディスプレイするステップと、このディスプレイされた認証情報入力画面により使用者から認証情報が入力されると、該入力された認証情報を無線移動通信システムを介して投票券の発券システムに伝送するステップと、該発券システムから使用者認証結果を受信し、認証に成功した場合、一画面を通じて投票券購入のための選択フィールド情報をディスプレイするステップと、このディスプレイされた選択フィールド情報により所望の情報がいずれも選択された後、該選択に係る投票券購入情報を無線移動通信システムを介して発券システムに伝送するステップと、使用者が選択した投票券購入情報に従い発券システムから発券された口座による投票券の発券結果に対するSMSメッセージ、およびレース終了後の結果内訳情報に対するSMSメッセージを無線移動通信システムを介して受信すると、これら発券結果のSMSメッセージおよび結果内訳情報のSMSメッセージを順次にディスプレイするステップと、を含むことを特徴とする無線移動通信端末機を用いた投票券購入データ伝送方法が提案される。
【００２８】
この場合の投票券購入のための選択フィールド情報は、レース地域情報、レース番号情報、勝式情報、出走者情報、ベット金額情報のうち、少なくとも一つの情報を含むことができる。
【００２９】
また、本発明によれば、口座投票処理システム、ARS発売サーバーおよび無線網システムと連動する無線移動端末機を用いたレースの口座による投票券購入方法において、無線移動端末機にインストールされた投票券購入応用プログラムを立ち上げて無線網システムを介し投票券購入のための使用者認証情報をARS発売サーバーに伝送するステップと、該使用者認証情報が受信されるとARS発売サーバーは、該受信された使用者認証情報を用いて使用者認証を行った後、その認証結果情報を無線網システムを介して無線移動端末機に伝送するステップと、この使用者認証が完了すると無線移動端末機は、一画面を通じて投票券購入のための選択フィールド情報をディスプレイし、該ディスプレイされた選択フィールド情報により所望の情報がいずれも選択された後、該選択に係る投票券購入情報を無線網システムを介してARS発売サーバーから口座投票処理システムに伝送するステップと、該ステップにより無線移動端末機から多数の投票券購入情報が受信された場合、口座投票処理システムは、該受信された多数の投票券購入情報に従い該当する投票券を発券した後、その発券内訳情報をARS発売サーバーに伝送するステップと、発券内訳情報が受信されるとARS発売サーバーは、当該発券内訳情報を保存した後、該発券内訳情報に対するSMSメッセージ生成要求データを無線網システムに伝送するステップと、該発券内訳情報に対するSMSメッセージ生成要求データにより無線網システムで発券内訳情報に対するSMSメッセージを生成して無線移動端末機に伝送するステップと、を含むことを特徴とする。
【００３０】
さらに、本発明によれば、口座によるレース投票券の発券システムと連動する無線ネットワークを用いた投票券購入システムにおいて、無線移動端末機を介して多数の投票券購入情報が一時に受信された場合、該投票券購入情報による投票券購入のための要求信号を発券システムに伝送し、該要求信号に応じ発券システムから発券内訳情報が受信されると、該発券内訳情報に対するSMSメッセージ生成要求信号を出力する投票券発券手段と、無線移動端末機から無線ネットワークを介して伝送される多数の投票券購入情報を投票券発券手段に提供し、投票券発券手段から出力される発券内訳情報に対するSMSメッセージ生成要求信号に従いSMSメッセージを生成した後、該生成されたSMSメッセージを無線ネットワークを介して無線移動端末機に伝送する無線データ通信手段と、を備えることを特徴とする。
【００３１】
その無線ネットワークは私設無線ネットワークまたは公衆無線ネットワークであり、無線データ通信手段は、SMSメッセージ生成部を含む私設無線交換システムまたは公衆無線交換システムとすることができる。また投票券発券手段は、無線データ通信手段と連動して送受信されるデータフォーマットを変換する無線網連動APIと、投票券購入のための使用者の認証を行う認証部と、投票券購入情報および発券システムから伝送される発券内訳情報を保存する保存部と、を有するものとすることができる。
【００３２】
また、本発明によれば、口座によるレースの投票券購入のためのARS発売サーバーを含むARSシステム及び該ARSシステムを介して投票券を発券する口座投票処理システムと連動する無線ネットワークを用いた投票券購入システムにおいて、ARSシステムのARS発売サーバー内に位置し、無線移動端末機を介して多数の投票券購入データが一時に受信される場合、該投票券購入データをARS発売サーバーに合うフォーマットに変換した後、変換したARSフォーマットによる投票券購入要求信号を口座投票処理システムに伝送し、該要求信号に応じ口座投票処理システムから発券内訳情報が受信されると、該発券内訳情報に相応するSMSメッセージ生成要求信号を出力する無線網連動API装置と、無線移動端末機から無線ネットワークを介して伝送される多数の投票券購入情報を無線網連動API装置に提供し、無線網連動API装置から出力される発券内訳情報に対するSMSメッセージ生成要求信号に従いSMSメッセージを生成した後、該生成した発券内訳情報に対するSMSメッセージを無線ネットワークを介して無線移動端末機に伝送する無線データ通信手段と、を備えることを特徴とする。
【００３３】
そのARS発売サーバーは、投票券購入のための使用者の認証を行う認証部と、投票券購入情報および口座投票処理システムから伝送される発券内訳情報を保存する保存部と、を有するものとすることができる。
【００３４】
また、本発明によれば、無線移動通信網を用いた口座によるレースの投票券購入のための移動通信端末機において、投票券購入プログラムが実行されると、投票券購入のための使用者認証情報入力画面をディスプレイし、認証が完了すれば、一画面を通じて投票券購入のための投票券購入選択画面をディスプレイして該ディスプレイした投票券購入選択画面により所望の情報をいずれも選択できるようにする投票券購入応用プログラムモジュールと、使用者から入力された認証情報及び投票券購入情報を無線移動通信網を介して口座による投票券の発券システムに伝送し、該発券システムから無線移動通信網を介して発券内訳情報に対するSMSメッセージおよびレース終了後の結果内訳情報に対するSMSメッセージを受信する無線データ送受信モジュールと、を備えることを特徴とする。
【００３５】
投票券購入応用プログラムモジュールによりディスプレイされる投票券購入選択画面は、レース地域選択フィールド、レース番号選択フィールド、勝式選択フィールド、出走者選択フィールド、ベット金額選択フィールドのうち、少なくとも一つのフィールドを含む画面とすることができる。また、投票券購入応用プログラムモジュールによりディスプレイされた投票券購入選択画面を通じてすべての情報が選択された後、投票券の追加購入を可能にする追加ベッティングキーと、該追加ベッティングキーが選択されて追加の投票券購入情報が選択されるときに、その前に選択された投票券購入情報を臨時保存するデータ臨時保存部と、を有することもできる。
【発明の効果】
【００３６】
上記のような本発明に係る無線移動通信網を用いた投票券購入システムおよびその方法は、既存のARS方式に移動通信網の技術を結合して使用者の手間を省いたワンクリックサービスで投票券購入を行うことができるようにし、また、無線端末機を介して私設（構内）／公衆無線網に接続して投票券購入を実行できる応用プログラムを立ち上げ、投票券の購入条件を一画面を通じてすべて指定した後、無線網を介して伝送すれば、ARSサーバーにデータが伝送されて、これによって口座投票受付が行われるようにすることにより、既存のARSシステムで投票券を購入する場合より、投票券購入のための手間暇を顕著に減らすことができる効果がある。
【００３７】
また、移動通信網を用いた発券サービスを同時に実施する場合、トラフィックを分散させて既存のARSシステムの負荷を最小限に減らすことができる。
【発明を実施するための最良の形態】
【００３８】
以下、本発明に係る無線移動通信網を用いた投票券購入システムおよびその方法に対する好適な実施例について、添付の図面を参照して詳細に説明する。
【００３９】
図３は、本発明に係る無線移動通信網を用いた投票券購入システムについてのネットワーク構成を示す図面であって、図１に示された従来技術と重複する同じ構成要素については、その説明を省略する。
【００４０】
図３に示すように、本発明に係る無線移動通信網を用いた投票券購入システムは、移動端末機(150)、無線網システム(140)、ARS中継装置(121)およびARS発売サーバー(122)からなるARSシステム(120)、口座投票処理システム(130)で構成することができる。
【００４１】
ARSシステム(120)のARS発売サーバー(122)は、無線網システム(140)と連動して通信パケットデータを送受信する無線システム連動API(Application Process Invocation:122a)を含んでいる。無線網システム連動API(122a)は、無線網システム(140)から伝送される投票券購入要請データをARS発売サーバー(122)で処理できるデータフォーマットに変換した後、変換されたデータを口座投票処理システム(130)に伝送し、口座による投票券購入完了データを無線網システム(140)に提供するようになる。
【００４２】
移動端末機(150)は、通信モジュールおよびクライアント応用プログラムモジュールが搭載されたもので、クライアント応用プログラムは、投票券購入のための多数の項目を一画面を通じて選択できるように、選択項目を一画面にディスプレイする。ここで、移動端末機は、PDAフォン、PCS、DCS、スマートフォン、IMT-2000等の端末機を使用し得る。
【００４３】
そして、移動端末機(150)と無線網システム(140)とは、私設移動通信網または公衆移動通信網を介して連結でき、ここで公衆移動通信網の場合、無線網システム(140)は、基地局、制御局および交換機を含んでなり、また、私設移動通信網の場合、無線網システム(140)は、私設基地局、私設制御局および私設交換機を含み得る。
【００４４】
また、移動端末機(150)は、応用プログラムと無線連結プログラムを具備でき、応用プログラムは、ARS発売サーバー(122)と連動できるクライアント応用プログラムであり、無線網システム(140)と無線接続ができるようにした無線連結プログラムは、常用O／S(例えば、Palm O／S、Microsoft Win CE／Pocket PCなど：いずれも商標)を使用するもので、PDAでは通信モジュール連結プログラム(O／Sが指定するAPIスペック(Spec)に合う通信プログラム)となり得る。
【００４５】
無線網システム(140)は、移動端末機(150)の無線連結プログラムと無線接続できるようにした無線連結プログラムと、ARS発売サーバー(122)の無線網システム連動API(122a)とデータを送受信するためのデータインターフェースとを含むことができる。
【００４６】
このように構成された本発明に係る無線移動通信網を用いた投票券購入システムの動作について、添付の図４および図５を参照して説明する。
【００４７】
図４は、本発明に係る無線移動通信網を用いた投票券購入システムにおける投票券購入のためのシステム連結実行例を示す図面であり、図５は、本発明に係る無線移動通信網を用いた投票券購入システムで口座による投票券購入を行える使用者無線端末機の投票券購入プログラム画面の一例を示す図面である。
【００４８】
まず、使用者が移動端末機(150)の投票券購入応用プログラム立ち上げボタンをクリックして投票券購入応用プログラムを走らせると、移動端末機(150)のディスプレイ画面に、移動端末機(150)および使用者(加入者)認証のためのログイン画面がディスプレイされる。ここで、口座投票券購入のためには、使用者があらかじめ自身の通帳口座番号および人的事項などを口座投票処理システムに登録し、自身のIDおよびパスワードの割当てを受けてARS発売サーバー(122)のデータベースに保存された状態でなければならない。これにより使用者は、ログイン画面にディスプレイされたID／パスワード入力フィールドに自身のIDおよびパスワードを入力し、ログインを試みるようになる。
【００４９】
移動端末機(150)を介して使用者が入力したID／パスワード情報は、移動端末機(150)の無線連結プログラム(ネットワーク連結プログラム)を介して無線網システム(140)のネットワーク連結プログラムに伝送される。
【００５０】
無線網システム(140)のネットワーク連結プログラムは、移動端末機(150)から伝送されるID／パスワード情報をデータインターフェースを介してARS発売サーバー(122)の無線網システム連動API(122a)に提供する。
【００５１】
ARS発売サーバー(122)は、無線網システム(140)から無線網システム連動API(122a)に伝送される使用者のIDおよびパスワード情報を自身のデータベースに保存されている多数のIDおよびパスワードと比較し、一致するIDおよびパスワードが存在するかどうか比較検索するようになる。この比較検索の結果、移動端末機(150)から伝送された使用者のIDおよびパスワードに一致するIDおよびパスワードがあった場合、ログイン結果情報(認証情報)を無線網システム(140)を介して移動端末機(150)に提供するようになる。この際、ログインが成功した場合、ARS発売サーバー(122)は、無線網システム(140)と移動端末機(150)間のデータ通信チャンネルを確保するようになる。
【００５２】
ログインが成功した場合、移動端末機(150)は、クライアント応用プログラムに従って投票券購入のための画面をディスプレイするようになる。しかし、ログインに失敗した場合には、移動端末機(150)のディスプレイ画面にログイン失敗メッセージをディスプレイしてIDおよびパスワードを再入力させるようにする。ここで、投票券購入のための選択項目は図５に示すように、一画面にすべてディスプレイされる。
【００５３】
したがって、使用者は、移動端末機(150)にディスプレイされた投票券購入選択画面を見て自身が望む投票券購入項目を選択するようになる。ここで、投票券購入のための選択項目は、図５に示すように、地域選択情報、レース選択情報、勝式選択情報、馬匹（出走者）選択情報、ベット金額情報を含むことができる。また、図５に示された画面を通じて投票券購入情報をいずれも選択した後、さらなる投票券を追加購入する場合には、追加ベッティングボタンをクリックして追加購入をするようになる。すなわち、投票券追加購入のために、使用者が図５に示された追加ベッティングボタンをクリックすれば、その前に選択した投票券購入情報は、移動端末機(150)のデータ臨時保存部(例えば、バッファ)に一時保存され、追加投票券購入のための選択画面が再びディスプレイされる。追加投票券の購入項目を選択した後、ベッティング伝送ボタンをクリックすれば、バッファに保存された前の投票券購入データと追加選択した投票券購入データとが同時に無線網システム(140)に伝送される。結局、多数口の投票券購入が可能であるという意味である。
【００５４】
使用者が投票券購入のための項目をいずれも選択し、データ伝送キー(図５のベッティング伝送キー)をクリックすれば、投票券購入情報を含んだ投票券購入要求情報は、無線網システム(140)のデータインターフェースを介してARS発売サーバー(122)に提供される。
【００５５】
ここで、ARS発売サーバー(122)の無線網システム連動API(122a)は、無線網システム(140)を介して移動端末機(150)から伝送された投票券購入データのフォーマットを変更した後、フォーマット変換された投票券購入情報を口座投票処理システム(130)のインターフェース装置(131)を介して主電算機(132)に提供する。
【００５６】
発券を行う口座投票処理システム(130)の主電算機(132)は、ARS発売サーバー(122)から伝送される投票券購入情報によりベット金額を確認し、ベット金額が既に登録されている使用者の口座残高より少なかったり、同じである場合は、使用者が選択した項目に相応する口座投票受付を実行する。ここで、主電算機(132)は、金融決裁システム(不図示)を備え、投票券購入者の登録口座に対する残高確認および投票券購入に伴う金融決裁を行うことができる。
【００５７】
口座投票受付が完了すると、該当する投票券の発券情報が口座投票処理システム(130)のインターフェース装置(131)を介してARS発売サーバー(122)に提供されて自身のデータベースに保存され、無線網システム連動API(122a)を介して無線網システム(140)に、発券完了に対するSMS(Short Message Service)伝送要求データが伝送される。
【００５８】
無線網システム(140)は、ARS発売サーバー(122)から伝送されるSMS伝送要求データに従い、投票券の発券完了に対するSMSメッセージを生成して移動端末機(150)に伝送し、ディスプレイ画面にディスプレイする。ここで、無線網システム(140)にSMSサービスが可能なSMSサーバーを備えることができ、あるいは、このようなSMSサーバーを、ARS発売サーバー(122)に構成することもできる。また、無線網システム(140)が私設または公衆交換機である場合、別途のSMSサーバーを構成せずとも既存のSMSサーバーを用いてSMSサービスを可能とすることができる。
【００５９】
したがって、使用者は、移動端末機(150)にディスプレイされた発券完了SMSメッセージにより発券完了を確認するようになる。
【００６０】
また、ARS発売サーバー(122)は、この後にレースが終了してレース結果に対する該当使用者の的中結果および配当金情報を含んだSMSメッセージを無線網システム(140)を介して該当使用者の移動端末機(150)に提供できる。
【００６１】
このような本発明に係る無線移動通信網を用いた投票券購入システムの動作と相応する本発明に係る無線移動通信網を用いた投票券購入方法について、添付の図６を参照して、段階的に説明する。
【００６２】
図６は、本発明に係る無線移動通信網を用いた投票券購入方法に対する処理の流れを示す図面である。
【００６３】
まず、使用者は、移動端末機(150)を使用した投票券購入のために、投票券購入応用プログラムを立ち上げる。すると、立ち上がった応用プログラムにより、移動端末機(150)のディスプレイ画面には、IDおよびパスワード入力画面がディスプレイされる。ここで、IDおよびパスワードだけでなく、登録済みの口座認証のために、登録された自身の通帳口座番号を入力するためのフィールドをさらに表示してもよい。ディスプレイされたIDおよびパスワード入力画面に従い使用者は、あらかじめ割り当てられた自身のIDおよびパスワードを入力して、無線網システム(140)に接続するようになる(S201)。
【００６４】
無線網システム(140)は、移動端末機(150)の接続を介して伝送されるIDおよびパスワード情報をARSシステム(120)のARS発売サーバー(122)に提供する(S202)。
【００６５】
ARS発売サーバー(122)は、無線網システム(140)を介して提供された使用者のIDおよびパスワード情報、そして口座番号情報を用いて使用者認証を行うようになる(S203)。ARS発売サーバー(122)は、使用者認証結果情報を無線網システム(140)を介して該当使用者の移動端末機(150)に提供する。ここで、認証に成功した場合、移動端末機(150)には、投票券購入応用プログラムにより、投票券購入画面が図５のようにディスプレイされる。
【００６６】
このようにディスプレイされた投票券購入画面において使用者は望む項目を選択し、投票券購入項目をすべて選択した後、伝送キーを選択すれば、その選択に係る投票券購入情報は、無線網システム(140)を介してARS発売サーバー(122)に伝送される(S204)。すなわち、本発明では、投票券購入のためのすべての項目が一画面にディスプレイされることにより使用者がすべての項目を一画面を通じて選択でき、選択されたすべての投票券購入情報は、ワンクリックで伝送される。
【００６７】
また、一つの投票券だけでなく、追加ベッティングのための選択キーをさらに備え、多数の投票券を連続して選択することもできる。
【００６８】
ARS発売サーバー(122)は、無線網システム(140)を介して伝送される投票券購入情報を自身のデータベースに保存した後、当該投票券購入情報を口座投票処理システム(130)のインターフェース装置(131)を介して主電算機(132)に伝送する(S205、S206)。ここで、口座投票処理システム(130)のインターフェース装置(131)は、ARS発売サーバー(122)と主電算機(132)との間のデータインターフェースの役割を行う。
【００６９】
口座投票処理システム(130)の主電算機(132)は、インターフェース装置(131)を介して伝送される使用者の投票券購入情報により受付を行い、該当投票券の発券完了情報をインターフェース装置(131)を介してARS発売サーバー(122)に伝送する(S207)。このときに主電算機(132)は、金融決裁システムを介して、使用者の投票券購入情報に含まれたベット金額を、登録されている口座の残高と比較する。比較の結果、ベット金額が口座残高より少ないか同じである場合は投票券の発券を完了する。しかし、そうでない場合は、残額不足による口座投票受付拒否メッセージを移動端末機(150)に提供する。
【００７０】
ARS発売サーバー(122)は、インターフェース装置(131)を介して主電算機(132)から伝送される発券完了情報を自身のデータベースに保存した後、無線網システム連動API(122a)を介して無線網システム(140)に投票券の発売完了に対するSMS(Short Message Service)伝送要求データを伝送する(S208)。
【００７１】
無線網システム(140)は、ARS発売サーバー(122)から伝送されるSMS伝送要求データにより発券完了SMSメッセージを生成して移動端末機(150)に伝送する(S209)。
【００７２】
したがって、使用者は、移動端末機(150)にディスプレイされた発券完了SMSメッセージにより、購入した馬券を確認することができる。
【００７３】
また、主電算機(132)は、レース終了後、レースの結果内訳情報をインターフェース装置(131)を介してARS発売サーバー(122)に伝送し(S210)、ARS発売サーバー(122)は、主電算機(132)から伝送される結果内訳情報に対するSMSメッセージ生成要求を無線網システム(140)に伝送する(S211)。そして無線網システム(140)は、的中結果および配当金情報に対するSMSメッセージを生成して該当使用者の移動端末機(150)に提供するようになる(S212)。
【００７４】
以上のような本発明に係る無線移動通信網を用いた投票券購入システムおよびその方法を簡単に要約する。
【００７５】
まず、使用者が口座投票券購入を行うために端末機を無線網システムに接続した後、端末機の投票券購入応用プログラムによる専用ブラウザを用いてARS発売サーバーに接続する。ARS発売サーバーが加入者の使用者認証を行い、加入者認証が完了すれば、端末機画面に投票券購入のための画面がディスプレイされる。このようにディスプレイされた画面によりユーザーが望む項目を選択し、投票券を購入する。
【００７６】
ユーザーが望む項目をいずれも選択した後、伝送キーをクリックすれば、選択された投票券購入情報は、無線網システムを介してARS発売サーバーに伝送される。ARS発売サーバーは、口座投票処理システムの主電算機とインターフェース装置を介して通信し、使用者が選択した購入条件に従い投票券の発券を行う。
【００７７】
発券されるとその発券完了情報は、ARS発売サーバーを介して無線網システムに伝送され、無線網システムは、発券内訳情報に対するSMSメッセージを生成して端末機に伝送する。このようなサービスを受けることができる使用者は、競馬／競輪／競艇用に口座登録をした加入者に限られる。
【００７８】
前記の実施例では、公衆移動通信網に限定して説明したが、私設移動通信網でも同じ方法で適用され得ることは、この分野の通常の知識を持った者ならば、誰でも理解できる部分である。すなわち、無線網システムを私設交換機に変えて、私設交換機をARS発売サーバーに連結する場合にも同様の口座投票サービスを提供できる。
【図面の簡単な説明】
【００７９】
【図１】従来技術に係るARSシステムを用いた投票券購入システムに対するネットワーク構成を示す図。
【図２】従来技術に係るARSシステムを用いた投票券購入方法に対する処理の流れを示す図。
【図３】本発明に係る無線移動通信網を用いた投票券購入システムに対するネットワーク構成を示す図。
【図４】本発明に係る無線移動通信網を用いた投票券購入システムにおける投票券購入のためのシステム連結実施例を示す図。
【図５】本発明に係る無線移動通信網を用いた投票券購入システムにおける使用者無線端末機の投票券購入画面の一例を示す図。
【図６】本発明に係る無線移動通信網を用いた投票券購入方法に対する処理の流れを示す図。
【符号の説明】
【００８０】
１００  有無線／移動端末機
１１０  PSTN／PLMN
１２０  ARSシステム
１２１  ARS中継装置
１２２  ARS発売サーバー
１２２a  無線網システム連動API
１３０  口座投票処理システム
１３１  インターフェース装置
１３２  主電算機
１４０  無線網システム
１５０  移動端末機
【図１】
2004318868.tif 000003
【図２】
2004318868.tif 000004
【図３】
2004318868.tif 000005
【図４】
2004318868.tif 000006
【図５】
2004318868.tif 000007
【図６】
2004318868.tif 000008